(57)【要約】【課題】ユーザがマニュアルやヘルプの内容を見ながら直接実際のＯＳＤメニューや機能を使用することができる映像表示装置等を提供する。【解決手段】本発明は、映像表示装置、映像表示方法及びコンピュータ読み取り可能な記録媒体に関し、本発明の実施形態に係る映像表示装置は、映像表示装置の動作設定に必要なＯＳＤメニューを含むメニュー情報を生成して出力し、ＯＳＤメニューで選択された選択メニューに対するヘルプ情報が要求された場合、メニュー情報及びヘルプ情報を生成して出力するＯＳＤ情報処理部と、ヘルプ情報の要求時に、ＯＳＤ情報処理部から提供するメニュー情報及びヘルプ情報をスケーリングし、スケーリングしたそれぞれのデータを相互に分離して提供するスケーリング部と、スケーリング部からスケーリングしたメニュー情報及びヘルプ情報を受信し、第１領域及び第２領域に相互に重畳しないように表示するディスプレイ部とを含む。【選択図】図２
2014021989.tif 000002
【特許請求の範囲】
【請求項１】
映像表示装置の動作設定に必要なＯＳＤ（Ｏｎ  Ｓｃｒｅｅｎ  Ｄｉｓｐｌａｙ）メニューを含むメニュー情報を生成して出力し、前記ＯＳＤメニューで選択された選択メニューに対するヘルプ情報が要求された場合、前記メニュー情報及び前記ヘルプ情報を生成して出力するＯＳＤ情報処理部と、
前記ヘルプ情報の要求時に、前記ＯＳＤ情報処理部から提供する前記メニュー情報及び前記ヘルプ情報をスケーリングし、前記スケーリングしたそれぞれのデータを相互に分離して提供するスケーリング部と、
前記スケーリング部から前記スケーリングしたメニュー情報及びヘルプ情報を受信し、第１領域及び第２領域に相互に重畳しないように表示するディスプレイ部と
を含む映像表示装置。
【請求項２】
前記スケーリング部は、
前記メニュー情報をスケーリングして前記第１領域に提供する第１スケーラと、
前記ヘルプ情報をスケーリングして前記第２領域に提供する第２スケーラと
を含むことを特徴とする請求項１に記載の映像表示装置。
【請求項３】
前記選択された選択メニューまたは前記ヘルプ情報が前記ディスプレイ部上でハイライト（ｈｉｇｈｌｉｇｈｔ）表示されるように、前記ＯＳＤ情報処理部を制御する制御部を更に含むことを特徴とする請求項１に記載の映像表示装置。
【請求項４】
前記制御部は、前記ディスプレイ部上で前記選択メニューが拡大されて表示されるように、前記ＯＳＤ情報処理部を制御することを特徴とする請求項３に記載の映像表示装置。
【請求項５】
前記ＯＳＤ情報処理部は、前記ハイライト表示が移動されるように手伝うサブボタンを更に生成し、前記生成したサブボタンは、前記選択メニューまたは前記ヘルプ情報の一領域に含めて出力することを特徴とする請求項３に記載の映像表示装置。
【請求項６】
映像表示装置の動作設定に必要なＯＳＤ（Ｏｎ  Ｓｃｒｅｅｎ  Ｄｉｓｐｌａｙ）メニューを含むメニュー情報を生成して出力し、前記ＯＳＤメニューで選択された選択メニューに対するヘルプ情報が要求された場合、前記メニュー情報及び前記ヘルプ情報を生成して出力するステップと、
前記ヘルプ情報の要求時に、スケーリング部が前記ＯＳＤ情報処理部から提供する前記メニュー情報及び前記ヘルプ情報をスケーリングし、前記スケーリングしたそれぞれのデータを相互に分離して提供するステップと、
前記スケーリング部から前記スケーリングしたメニュー情報及びヘルプ情報を受信し、ディスプレイ部の第１領域及び第２領域に相互に重畳しないように表示するステップと
を含む映像表示方法。
【請求項７】
前記スケーリングしたそれぞれのデータを相互に分離して提供するステップは、
前記メニュー情報をスケーリングして前記第１領域に提供するステップと、
前記ヘルプ情報をスケーリングして前記第２領域に提供するステップと
を含むことを特徴とする請求項６に記載の映像表示方法。
【請求項８】
前記選択された選択メニューまたは前記ヘルプ情報が前記ディスプレイ部上でハイライト（ｈｉｇｈｌｉｇｈｔ）表示されるように、前記ＯＳＤ情報処理部を制御するステップを更に含むことを特徴とする請求項６に記載の映像表示方法。
【請求項９】
前記ディスプレイ部上で前記選択メニューが拡大されて表示されるように、前記ＯＳＤ情報処理部を制御するステップを更に含むことを特徴とする請求項８に記載の映像表示方法。
【請求項１０】
前記メニュー情報及び前記ヘルプ情報を生成して出力するステップは、
前記ハイライト表示が移動されるように手伝うサブボタンを更に生成し、前記生成したサブボタンを、前記選択メニューまたは前記ヘルプ情報の一領域に含めて出力するステップを含むことを特徴とする請求項８に記載の映像表示方法。
【請求項１１】
映像表示方法を実行するためのプログラムが保存されたコンピュータ読み取り可能な記録媒体において、
前記映像表示方法は、
映像表示装置の動作設定に必要なＯＳＤ（Ｏｎ  Ｓｃｒｅｅｎ  Ｄｉｓｐｌａｙ）メニューを含むメニュー情報を生成して出力するステップと、
前記ＯＳＤメニューで選択された選択メニューに対するヘルプ情報が要求された場合、前記メニュー情報及び前記ヘルプ情報を生成して出力するステップと、
前記映像表示装置の画面上に前記メニュー情報及び前記ヘルプ情報が相互に重畳しないように表示されるように前記メニュー情報及び前記ヘルプ情報を提供するステップと
を含むコンピュータ読み取り可能な記録媒体。
【発明の詳細な説明】
【技術分野】
【０００１】
本発明は、映像表示装置、映像表示方法及びコンピュータ読み取り可能な記録媒体に関し、より詳細には、例えばヘルプやマニュアルが表示可能な映像表示装置において、ユーザがヘルプやマニュアルを見ながら直接ＯＳＤ（Ｏｎ  Ｓｃｒｅｅｎ  Ｄｉｓｐｌａｙ）メニューを操作できる映像表示装置、映像表示方法及びコンピュータ読み取り可能な記録媒体に関する。
【背景技術】
【０００２】
一般に、映像機器はユーザの要求によるヘルプやマニュアルを提供しているが、このようなヘルプやマニュアルは実際、ユーザが機器の操作を容易に実行できるように手助けするために提供される。このようなヘルプやマニュアルは、映像機器の画面において、全画面に提供されたり、操作画面上に重なって提供されることが、普通である。
【０００３】
このように、従来は、ヘルプやマニュアルが、実際操作しようとする画面を遮ったり、操作する画面上に提供されているため、ヘルプを用いて実際の操作を行うのに不都合が生じていた。例えば、従来は、ユーザがヘルプを読んで、もう一度当該画面に戻るためには、マニュアルやヘルプを閉じて当該画面に移動したりマニュアルを遮り操作画面を表示しなければならないという不都合があるだけでなく、ユーザがマニュアルやヘルプの内容を熟知しているとしても、実際の操作時に誤操作が発生する恐れがあり、ＯＳＤメニュー操作時に再びマニュアルやヘルプを確認しなければならないという不都合があった。
【先行技術文献】
【特許文献】
【０００４】
【特許文献１】韓国特開第２０１１−０１２１２１０号公報
【特許文献２】韓国特開第２０１０−００１９１５１号公報
【特許文献３】韓国特開第２００６−００４４１６９号公報
【特許文献４】日本特開第２００３−２５６７２５号公報
【発明の概要】
【発明が解決しようとする課題】
【０００５】
そこで、本発明は、上記問題に鑑みてなされたものであり、本発明の目的とするところは、映像表示装置においてマニュアルやヘルプを実際の操作を所望の画面と同時に提供して、ユーザがマニュアルやヘルプの内容を見ながら直接実際のＯＳＤメニューや機能を使用することができる映像表示装置、映像表示方法及びコンピュータ読み取り可能な記録媒体を提供することにある。
【課題を解決するための手段】
【０００６】
本発明の実施形態に係る映像表示装置は、映像表示装置の動作設定に必要なＯＳＤ（Ｏｎ  Ｓｃｒｅｅｎ  Ｄｉｓｐｌａｙ）メニューを含むメニュー情報を生成して出力し、前記ＯＳＤメニューで選択された選択メニューに対するヘルプ情報が要求された場合、前記メニュー情報及び前記ヘルプ情報を生成して出力するＯＳＤ情報処理部と、前記ヘルプ情報の要求時に、前記ＯＳＤ情報処理部から提供する前記メニュー情報及び前記ヘルプ情報をスケーリングし、前記スケーリングしたそれぞれのデータを相互に分離して提供するスケーリング部と、前記スケーリング部から前記スケーリングしたメニュー情報及びヘルプ情報を受信し、第１領域及び第２領域に相互に重畳しないように表示するディスプレイ部とを含む。
【０００７】
この場合、前記スケーリング部は、前記メニュー情報をスケーリングして前記第１領域に提供する第１スケーラと、前記ヘルプ情報をスケーリングして前記第２領域に提供する第２スケーラとを含んでよい。
【０００８】
一方、前記選択された選択メニューまたは前記ヘルプ情報が前記ディスプレイ部上でハイライト（ｈｉｇｈｌｉｇｈｔ）表示されるように、前記ＯＳＤ情報処理部を制御する制御部を更に含んでよい。
【０００９】
ここで、前記制御部は、前記ディスプレイ部上で前記選択メニューが拡大されて表示されるように、前記ＯＳＤ情報処理部を制御してよい。
【００１０】
一方、前記ＯＳＤ情報処理部は、前記ハイライト表示が移動されるように手伝うサブボタンを更に生成し、前記生成したサブボタンは、前記選択メニューまたは前記ヘルプ情報の一領域に含めて出力してよい。
【００１１】
なお、本発明の実施形態に係る映像表示方法は、映像表示装置の動作設定に必要なＯＳＤメニューを含むメニュー情報を生成して出力し、前記ＯＳＤメニューで選択された選択メニューに対するヘルプ情報が要求された場合、前記メニュー情報及び前記ヘルプ情報を生成して出力するステップと、前記ヘルプ情報の要求時に、スケーリング部が前記ＯＳＤ情報処理部から提供する前記メニュー情報及び前記ヘルプ情報をスケーリングし、前記スケーリングしたそれぞれのデータを相互に分離して提供するステップと、前記スケーリング部から前記スケーリングしたメニュー情報及びヘルプ情報を受信し、ディスプレイ部の第１領域及び第２領域に相互に重畳しないように表示するステップとを含む。
【００１２】
この場合、前記スケーリングしたそれぞれのデータを相互に分離して提供するステップは、前記メニュー情報をスケーリングして前記第１領域に提供するステップと、前記ヘルプ情報をスケーリングして前記第２領域に提供するステップとを含んでよい。
【００１３】
一方、本映像表示方法は、前記選択された選択メニューまたは前記ヘルプ情報が前記ディスプレイ部上でハイライト表示されるように、前記ＯＳＤ情報処理部を制御するステップを更に含んでよい。
【００１４】
なお、本映像表示方法は、前記ディスプレイ部上で前記選択メニューが拡大されて表示されるように、前記ＯＳＤ情報処理部を制御するステップを更に含んでよい。
【００１５】
一方、前記メニュー情報及び前記ヘルプ情報を生成して出力するステップは、前記ハイライト表示が移動されるように手伝うサブボタンを更に生成し、前記生成したサブボタンを、前記選択メニューまたは前記ヘルプ情報の一領域に含めて出力するステップを含んでよい。
【００１６】
更に、本発明の実施形態に係る映像表示方法を実行するためのプログラムが保存されたコンピュータ読み取り可能な記録媒体において、前記映像表示方法は、映像表示装置の動作設定に必要なＯＳＤメニューを含むメニュー情報を生成して出力するステップと、前記ＯＳＤメニューで選択された選択メニューに対するヘルプ情報が要求された場合、前記メニュー情報及び前記ヘルプ情報を生成して出力するステップと、前記映像表示装置の画面上に前記メニュー情報及び前記ヘルプ情報が相互に重畳しないように表示されるように前記メニュー情報及び前記ヘルプ情報を提供するステップとを含む。
【発明の効果】
【００１７】
以上説明したように、本発明によれば、ユーザはヘルプまたはマニュアルを見ながら直接ＯＳＤメニュー上における特定メニューを操作することができるようになり、ユーザの便宜性が向上する。
【図面の簡単な説明】
【００１８】
【図１】本発明の実施形態に係るＯＳＤ情報処理システムの構造を示す図である。
【図２】本発明の第１実施形態に係る映像表示装置の構造を示すブロック図である。
【図３】本発明の第２実施形態に係る映像表示装置の構造を示すブロック図である。
【図４】ヘルプ呼出しに係るヘルプ情報画面とヘルプ情報画面の表示された状態におけるＯＳＤ操作を説明するための図である。
【図５】ＯＳＤ画面とヘルプ情報画面との間のハイライト移動を説明するための図である。
【図６】特定ボタンを用いたハイライト移動を説明するための図である。
【図７】方向キーとＧＵＩボタンとを用いたハイライト移動を説明するための図である。
【図８】操作可能なＯＳＤメニュー部分が拡大された状態を示す図である。
【図９】全画面で表示された初期ＯＳＤメニューに復帰した状態を示す図である。
【図１０】本発明の実施形態に係る映像表示方法を示すフローチャートである。
【発明を実施するための形態】
【００１９】
以下に添付図面を参照しながら、本発明の好適な実施形態について詳細に説明する。
【００２０】
図１は、本発明の実施形態に係るＯＳＤ情報処理システムの構造を示す図である。
【００２１】
図１に示すように、本発明の実施形態に係るＯＳＤ情報処理システムは、映像表示装置１００及び遠隔制御装置１００の一部または全部を含む。ここで、一部または全部を含むとは、仮に、映像表示装置１００が遠隔制御装置１１０と連動しなくても、画面の下段部に備えられるボタンまたはタッチスクリーン上に表示されたボタンの操作を通じて、ＯＳＤ情報を処理することができることを意味し、発明の十分な理解を促すために、全てを含むものとして説明を進める。
【００２２】
なお、本発明の実施形態に係る映像表示装置１００は、外部から入力される放送映像を受信して画面に表示したり、または、ユーザの接続したＶＴＲまたはゲーム機等のユーザ装置から入力される映像を受信して画面に表示する。この過程において、映像表示装置１００は、セットトップボックス（Ｓｅｔ−ｔｏｐ  Ｂｏｘ）のような映像中継装置に連動することができる。
【００２３】
なお、本発明の実施形態に係る映像表示装置１００は、タッチスクリーン方式の映像表示装置か、ＯＬＥＤのような自発光表示装置、またはＬＣＤ装置のような受光型表示装置であってよい。勿論、テレビではないコンピュータのような表示装置あってもよい。ここで、受光型表示装置とは、光を提供する別途のバックライト部を有することを意味する。このとき、バックライト部は、ＬＥＤ等を含んでよい。
【００２４】
更に、本発明の実施形態に係る映像表示装置１００は、ユーザの要求に応じて、仮に、映像表示装置１００の動作設定のためのＯＳＤメニューを画面上に表示することができる。そのために、映像表示装置１００は、ＯＳＤメニューを要求するためのメニューボタン（或いは、専用ボタン、ＧＵＩ（Ｇｒａｐｈｉｃａｌ  Ｕｓｅｒ  Ｉｎｔｅｒｆａｃｅ）ボタン）を別途の領域に備えたり、タッチスクリーン方式の映像表示装置である場合には、画面に現れるボタンを利用することができ、図１にように、遠隔制御装置１１０との連動の下で受信される制御信号を用いて、当該メニュー画面を表示することができる。
【００２５】
例えば、映像表示装置１００は、遠隔制御装置１１０からＯＳＤメニューを要求する信号が受信された場合、当該命令に応じて、仮にアルゴリズムを実現させ、ＯＳＤメニューを生成して画面に表示することができる。その後、映像表示装置１００は、ユーザからＯＳＤメニュー上における特定メニューに対するヘルプ要求がある場合、当該メニューに対するヘルプ情報をＯＳＤメニューと相互に重畳しないように、画面に表示するようになる。そのために、映像表示装置１００は、ＯＳＤメニュー及びヘルプ情報が画面上で相互に分離されて表示されるようにスケーリングする過程を実行するようになる。ここで、スケーリングとは、仮に１６ビットデータを１０ビットデータに再整列する過程や、画面上でＯＳＤメニュー及びヘルプ情報が相互に分離されて表示されるようにする諸動作を含むとすることができる。ここで、ヘルプ情報は、ヘルプや、アニュアルを含む意味として使用されてよい。マニュアルとは、コンピュータ等を運転・操作するのに必要な手続き等を分かりやすく説明した説明書であり、それによって、ヘルプ情報はマニュアル以外に付加情報を更に含む意味として使用されてよい。
【００２６】
遠隔制御装置１１０は、映像表示装置１００の画面にＯＳＤメニューとヘルプ、またはＯＳＤメニューとマニュアル等が表示されるようにユーザの要求を伝達するためのメニューボタンを含んでよい。このとき、メニューボタンは、専用ボタンまたはＧＵＩボタン等のように多様に呼ばれてよい。勿論、多様に呼ばれるこのようなボタンは、本発明の実施形態に応じて、映像表示装置１００の動作または機能を設定するためのボタンであることに相違ない。例えば、ユーザがメニューボタンを押すと、映像表示装置１００は、遠隔制御装置１１０からの信号に応じて、ＯＳＤメニューを生成して画面に出力する。その後、ユーザが方向ボタン等を操作し、ＯＳＤメニュー上の特定メニューに対するヘルプ情報を要求すると、映像表示装置１００は遠隔制御装置１１０の命令に応じて、ＯＳＤメニューとヘルプ情報とを相互に重畳しないように画面に表示するようになる。勿論、ヘルプではないマニュアルの場合にも、本発明の実施形態に係る映像表示装置１００は、ＯＳＤメニューとマニュアルとを相互に重畳しないように画面に表示することができる。
【００２７】
上記の構成の結果、ユーザはヘルプまたはマニュアルを見ながら直接ＯＳＤメニュー上における特定メニューを操作することができるようになり、ユーザの便宜性を向上することができる。
【００２８】
図２は、本発明の第１実施形態に係る映像表示装置の構造を示すブロック図である。
【００２９】
図２を図１とともに参照すると、本発明の第１実施形態に係る映像表示装置１００は、ＯＳＤ情報処理部２００と、スケーリング部２１０及びディスプレイ部２２０の一部または全部を含み、更に、制御部（図示せず）を含んでよい。ここで、一部または全部を含むとは、ＯＳＤ情報処理部２２０がスケーリング部２１０と統合されて構成されたり、スケーリング部２１０はディスプレイ部２２０の一部で構成されることができる等を意味するものとして、発明の十分な理解を促すために、全部を含むものとして説明を進める。
【００３０】
本発明の実施形態に係るＯＳＤ情報処理部２００は、仮に、ＯＳＤメニューの生成のためのアルゴリズムを予め保存した後、ユーザから映像表示装置１００の動作または機能を設定するための要求がある際、当該要求に応じて、ＯＳＤメニューを生成するためのアルゴリズムを実現し、ＯＳＤメニューを生成及び出力することができる。このとき、ＯＳＤメニューに該当する情報としては、以後にまた説明するが、映像表示装置１００の輝度、サウンド、ネットワーク、バックライト等の調整に関連する情報が含まれてよい。なお、ＯＳＤ情報処理部２００は、ＯＳＤメニュー上で特定メニューに対するヘルプまたはマニュアル等をユーザが要求する場合、当該情報もＯＳＤメニューとともに生成して出力することができる。このとき、ＯＳＤ情報処理部２００は、ヘルプまたはマニュアルに対する情報をＯＳＤメニューと相互に分離して提供することができる。それにより、本発明の実施形態に係るＯＳＤ情報処理部２００は、情報分離部を含んだり、別途に備えられる情報分離部に連動することができる。
【００３１】
スケーリング部２１０は、ＯＳＤ情報処理部２００から提供するＯＳＤメニュー及びヘルプ等に対する情報を、それぞれスケーリングする第１及び第２スケーラを含んでよい。ここで、第１スケーラは、ディスプレイ部２２０の第１領域にＯＳＤメニューをスケーリングして出力するとしたら、第２スケーラは、ディスプレイ部２２０の第２領域にヘルプ情報をスケーリングして出力するようになる。このような第１及び第２スケーラは、ディスプレイ部２２０の第１領域及び第２領域の面積、すなわち、面積比率が１：１で同じである場合、スケーリングされる程度は同様であろうが、面積比率が相互に異なる場合には、スケーリングされる程度も相互に異なるようになる。このように、スケーリングされる程度が異なる場合、例えば、第１スケーラが外部から入力された各１６ビットのＲ、Ｇ、Ｂデータに対して１０ビットデータ変換を行うとしたら、第２スケーラは８ビットデータ変換を行うこともできる。このような過程で、スケーリング部２１０は、ユーザの要求に応じて、スケーリングの際にハイライト情報が表示されるようにデータを変換して出力することができる。仮に、本発明の実施形態でのように、ハイライトがブロック形態の赤色で表示されるように設定した場合には、当該過程を行うことができる。しかし、このような過程は、ＯＳＤ情報処理部２００におけるＯＳＤ情報処理時に行われてよいため、本発明の実施形態では、そのようなことを特別に限定はしない。更に、このような過程は、以後に記述される制御部との連動の下で行われてよい。
【００３２】
ディスプレイ部２２０は、画像を表示する表示パネルを含み、表示パネルには、液晶パネル、ＰＤＰ（Ｐｌａｓｍａ  Ｄｉｓｐｌａｙ  Ｐａｎｅｌ）、ＯＬＥＤパネル等が含まれてよい。その中、例えば、液晶パネルは第１基板及び第２基板、そしてその間に介在する液晶層からなってよい。第１基板は、相互に交差して画素領域を定義するための複数のゲートライン（ＧＬ１〜ＧＬｎ）と、データライン（ＤＬ１〜ＤＬｎ）とが形成され、その交差する画素領域には画素電極が形成される。そして、画素領域の一領域、より正確には、角にはＴＦＴ（Ｔｈｉｎ  Ｆｉｌｍ  Ｔｒａｎｓｉｓｔｏｒ）が形成される。このようなＴＦＴのターンオン動作の際、第１基板の画素電極と、仮に、第２基板の共通電極に印加された電圧の差分だけ液晶がツイスト（ｔｗｉｓｔ）され、バックライトに提供する光を透過させることができるようになる。
【００３３】
本発明の実施形態によりディスプレイ部２２０、より正確には、表示パネルは第１領域及び第２領域に区分されてよい。それにより、ユーザがＯＳＤメニューを要求した場合、ディスプレイ部２２０の全画面にはＯＳＤメニューが表示されるが、ユーザが再びＯＳＤメニューで特定メニューに対するヘルプ等を要求した場合には、ＯＳＤメニューが第１領域に表示され、ヘルプ情報は第２領域に表示されてよい。このように、ＯＳＤメニューとヘルプ情報とは、第１領域及び第２領域で相互に重畳しないように表示されるため、すなわち、物理的に区分されて表示されることができるため、仮に、ユーザが第２領域に表示されたヘルプ情報をマウスでドラッグ（ｄｒａｇ）する動作は行われないことが望ましい。しかし、本発明の実施形態では、このようなことに特別に限定されない。なお、第１領域及び第２領域の面積比率は、ユーザの設定または命令に応じて、いくらでも調整可能であってよい。その他の詳細な内容は、以後詳細に扱うこととする。
【００３４】
図に別途に示してはいないが、本発明の第１実施形態に係る映像表示装置１００は制御部を更に含んでよい。制御部は、映像表示装置１００を構成するＯＳＤ情報処理部２００、スケーリング部２１０及びディスプレイ部２２０等の動作全般を制御することができる。言い換えると、制御部は、ユーザの要求により、ＯＳＤ情報処理部２００に予め保存されたアルゴリズムを実現し、ＯＳＤメニュー及びヘルプ情報等を生成してスケーリング部２１０に出力するように制御し、なお、スケーリング部２１０でスケーリングされた情報、より正確には、情報に対するデータのルートを制御してディスプレイ部２２０の第１及び第２領域にそれぞれ出力するようにし、ディスプレイ部２２０の第１及び第２領域に出力されるＯＳＤメニュー及びヘルプ情報に対するデータのタイミングを制御することができる。
【００３５】
図３は、本発明の第２実施形態に係る映像表示装置の構造を示すブロック図である。
【００３６】
図３を図１と共に参照すると、本発明の第２実施形態に係る映像表示装置１００は、インターフェース部３００と、保存部３１０と、制御部３２０と、ディスプレイ部３３０と、ＯＳＤ情報処理部３４０及びスケーリング部３５０の一部または全部を含んでよい。ここで、一部または全部を含むとは、仮に、映像表示装置１００の一部構成要素であるスケーリング部３５０が制御部３２０またはディスプレイ部３３０に統合されて構成されることが意味し、発明の十分な理解を促すために、全部を含むものとして説明を進める。
【００３７】
インターフェース部３００は、仮に、グラフィックカードのような映像ボード（ｂｏａｒｄ）として、外部から入力された映像データを映像表示装置１００の解像度に適するように変換して出力する役割を果たす。ここで、映像データは、仮に１６ビットの各Ｒ、Ｇ、Ｂの映像データで構成することができるが、インターフェース部３００は、映像表示装置１００の解像度に適したクロック信号（ＤＣＬＫ）と垂直及び水平同期信号（Ｖｓｙｎｃ、Ｈｓｙｎｃ）等の制御信号を発生する。そして、インターフェース部３００は、映像データを制御部３２０に提供し、垂直／水平同期信号等は、ディスプレイ部３３０に提供して映像が実現される際、それに同期してバックライトがターンオン及びターンオフされるように動作させることもできる。
【００３８】
なお、インターフェース部３００は、解像度変換がスケーラ部で行われると仮定すると、スケーラ部の前端でＲＦ信号受信部及びＲＦ信号処理部を更に含んでよい。ＲＦ信号受信部は、放送信号を受信するためのチューナ、デマルチプレクサ、更には、復調器、同期化器及び等化器等を更に含んでよいが、ここで、チューナは、放送信号から特定方式の信号を同調化して出力する役割を担い、デマルチプレクサは音声及び映像を分離する役割を担う。なお、ＲＦ信号受信部は、ユーザの選択によるコンテンツを受信することができる。なお、ＲＦ信号処理部は、デコーダと称してよい。デコーダは、デマルチプレクサによって分離された音声及び映像パケット、より正確には、映像パケットを復号化する過程を行うようになる。言い換えると、ＲＦ信号受信部を介しては、放送局等から映像信号が映像情報がエンコードされて提供されるため、それを復元する過程を行うようになる。このように、復元された映像データは、スケーラ部に提供されて解像度変換が行われてよい。ここで、スケーラ部は、インターフェース部３００に含まれてスケーリング機能を実行するものとして、その後記述されるスケーリング部３５０と対比するために、第１スケーリング部と称されてよく、図３のスケーリング部３５０は第２スケーリング部と称されてよい。
【００３９】
保存部３１０は、インターフェース部３００に受信されたＲ、Ｇ、Ｂの映像データを制御部３２０の制御下でフレーム単位で保存するためのフレームメモリとして使用されたり、特定機能ブロック、仮に、ＯＳＤ情報処理部３４０及びスケーリング部３５０に提供する情報を、制御部３２０の制御下で一時保存するためのＲＡＭ（Ｒａｎｄｏｍ  Ａｃｃｅｓｓ  Ｍｅｍｏｒｙ）の役割を担うこともできる。よって、本発明の実施形態に係る保存部３１０は、フレームメモリ及びＲＡＭ、更には、映像表示装置１００の特定情報が長期間保存されるＲＯＭ（Ｒｅａｄ  Ｏｎｌｙ  Ｍｅｍｏｒｙ）等を更に含んでよい。保存部３１０に保存されたデータは、制御部３２０の要求時に出力するようになる。
【００４０】
制御部３２０は、映像表示装置１００を構成するインターフェース部３００と、保存部３１０と、ディスプレイ部３３０と、ＯＳＤ情報処理部３４０及びスケーリング部３５０等の動作全般を制御する。例えば、制御部３２０は、インターフェース部３００から入力されたデータを保存部３１０に保存してから、保存されたデータを再び読み込んでディスプレイ部３３０の出力することができ、または、ユーザが映像表示装置１００の動作または機能を設定するためのＯＳＤメニューを要求すると、ＯＳＤ情報処理部３４０内に保存されたアルゴリズム（或いは、プログラム）を実現し、ＯＳＤメニューを生成して保存部３１０に一時保存したり、ディスプレイ部３３０に出力することができる。更に、制御部３２０は、ユーザがＯＳＤメニューで特定メニューに対するヘルプを要求すると、要求があると判断し、スケーリング部３５０を介してＯＳＤメニュー及びヘルプ情報をスケーリングしてディスプレイ部３３０に出力することができる。
【００４１】
なお、制御部３２０は、インターフェース部３００から提供される映像データをディスプレイ部３３０に出力し、ＯＳＤ情報処理部３４０及びスケーリング部３５０から提供されるデータをディスプレイ部３３０に出力するためのタイミング制御を行うことができる。仮に、ディスプレイ部３３０がゲートドライバ及びソースドライバを含むと仮定すると、制御部３２０はゲート及びソースドライバを制御するための制御信号を生成し、生成した制御信号を用いてタイミング制御を行うことができる。例えば、制御部３２０は、ゲートドライバを制御して第１ゲートラインにゲート電圧を印加した場合、ソースドライバを制御して第１水平ライン分に該当するデータを印加するようになる。このとき、印加するデータがＯＳＤメニューとヘルプ情報である場合、ディスプレイ部３３０の第１領域へはＯＳＤメニューデータが出力され、第２領域へはヘルプ情報に対するデータが同時に出力される。そして、第２ゲートラインをターンオンさせると同時に、第１ゲートラインをターンオフさせて第２水平ライン分に該当するデータ、すなわち、ＯＳＤメニューとヘルプ情報とがソースドライバからディスプレイ部３３０の表示パネルに印加するようになる。このような方式により、制御部３２０は表示パネルの全画面にＯＳＤメニューとヘルプ情報とが相互に区分して重畳しないように表示されるようにする。
【００４２】
ディスプレイ部３３０は、ゲートドライバ、ソースドライバ及び表示パネルを含んでよい。しかし、ここで、ゲート及びソースドライバは、制御部３２０に含まれる意味として使用されるだけでなく、表示パネルに含まれてよいため、本発明の実施形態ではそれに特別に限定されない。その他の表示パネルに関連する詳細な内容は、第１実施形態において十分に説明しているため、その内容は省略する。
【００４３】
その他に、図３を参照したＯＳＤ情報処理部３４０及びスケーリング部３５０は、図２を参照して説明したＯＳＤ情報処理部２００及びスケーリング部２１０とほとんど変わらないため、これ以上の説明は省略する。
【００４４】
図４は、ヘルプ呼出しに係るヘルプ情報画面とヘルプ情報画面の表示された状態におけるＯＳＤ操作を説明するための図である。
【００４５】
図４の（ａ）ないし（ｄ）は、図２及び図３のディスプレイ部２２０、３３０の画面に表示されたＯＳＤメニュー及びヘルプ情報画面を示すものとして、図４を図１ないし図３とともに参照すると、仮に、ユーザが遠隔制御装置１１０を介してＯＳＤメニューを要求すると、映像表示装置１００はＯＳＤメニュー画面を全画面で表示するようになる。
【００４６】
その後、ユーザが、仮に、図４の（ａ）のように、Ｐｉｃｔｕｒｅ選択時に現れるＢｒｉｇｈｔｎｅｓｓに対するヘルプを呼び出すと、映像表示装置１００は図４の（ｂ）のように、左側画面にはＯＳＤメニューを表示し、右側画面にはヘルプ情報を表示することができる。このとき、ヘルプ呼出しは、遠隔制御装置１１０のヘルプ要求のための専用ボタンを利用することにより、行われてよい。なお、上述のＯＳＤメニュー及びヘルプ情報が表示される表示領域は最初に設定された値に応じて、１：１の比率で表示されてよいが、それはユーザの要求に応じて、いくらでも調節可能であってよい。言い換えると、比率調整のための情報が受信されると、映像表示装置１００はその比率に合わせてデータをスケーリング変換して提供することができる。
【００４７】
更に、ユーザがヘルプ情報に応じて、ＯＳＤ操作を行おうとするとき、ユーザは図４の（ｃ）のように、ＯＳＤメニューにハイライトを移動した後、図４の（ｄ）でのように、仮に、Ｂｒｉｇｈｔｎｅｓｓを選択して示すＯＳＤメニューを操作することができるようになる。図４の（ｄ）では、画面のＢｒｉｇｈｔｎｅｓｓを６８に設定していることを示している。ここで、ヘルプ情報としては、例えば、特定の製造会社及び特定規格のパネルの場合、画面のＢｒｉｇｈｔｎｅｓｓがどれくらい適しているかに対する情報が提供されることで、ユーザの設定を手助けすることができる。
【００４８】
図５は、ＯＳＤ画面とヘルプ情報画面との間のハイライト移動を説明するための図である。
【００４９】
図５を図１ないし図３とともに参照すると、映像表示装置１００はＯＳＤメニューをヘルプ情報と一つの画面とを分割してそれぞれ表示した場合、ＯＳＤ情報処理部２００、３４０に、仮に、予め保存されたアルゴリズムは、図５の（ａ）及び（ｂ）のように、Ｂｒｉｇｈｔｎｅｓｓの設定バーとヘルプ情報画面の間でハイライトが相互に移動できるようにする機能を含んでよい。
【００５０】
図６は、特定ボタンを用いたハイライト移動を説明するための図であり、図７は、方向キーとＧＵＩボタンとを用いたハイライト移動を説明するための図である。
【００５１】
図６を図１とともに参照すると、本発明の実施形態に係る映像表示装置１００、より正確には、ＯＳＤ情報処理部２００、３４０に予め保存されたアルゴリズムは、画面に表示された特定ボタンを用いてハイライトを移動させる機能を含んでよい。例えば、図６の（ａ）及び（ｂ）の画面の下段に表示されている［Ｈｅｌｐ］Ｇｏ  ｔｏ  ＯＳＤ及び［Ｈｅｌｐ］Ｂａｃｋ  ｔｏ  Ｍａｎｕａｌのような特定ボタンを用いて、ＯＳＤ画面とヘルプ情報画面の間でハイライトを移動させることができる。
【００５２】
なお、図７を図１とともに参照すると、映像表示装置１００は方向キーとＧＵＩボタンとを用いてもハイライトを移動させることができるが、それは、図７の（ａ）ないし（ｄ）に詳細に示されている。具体的に説明すると、図７（ａ）のように、Ｂｒｉｇｈｔｎｅｓｓが選択された状態でＲｉｇｈｔキーを押すと、図７の（ｂ）のように、Ｈｅｌｐメニューがハイライト表示されてよい。このとき、Ｅｎｔｅｒキーを押すと、ヘルプ情報画面が図７の（ｃ）のようにハイライトされてよい。そして、図７の（ｃ）においてＤｏｗｎキーを押すと、図７の（ｄ）のように、ＯＳＤボタンがハイライトされる。その後、再びＥｎｔｅｒキーを押すと、図７の（ａ）の画面に復帰することができる。
【００５３】
図７において、方向キーは図１の遠隔制御装置１１０の備えられた方向キーであるとして説明したが、映像表示装置１００のディスプレイ部は、タッチスクリーン方式で行われることができるため、本発明の実施形態ではどの装置の方向キーを利用するかに特に限定されるものではない。一方、ＨｅｌｐやＯＳＤボタンのようなＧＵＩボタンは、ＯＳＤメニュー生成の際に併せて生成される情報に該当する。
【００５４】
図８は、操作可能なＯＳＤメニュー部分が拡大された状態を示す図であり、図９は、全画面で表示された初期ＯＳＤメニューに復帰した状態を示す図である。図８及び図９は、ＯＳＤ操作時に画面切り替え可能性を示す図である。
【００５５】
図８を図１とともに参照すると、映像表示装置１００はＯＳＤメニュー画面を拡大して表示することができる。言い換えると、図８の（ａ）のように、ＯＳＤメニューとヘルプ情報とがそれぞれの領域に表示された場合、ユーザがＯＳＤメニューの拡大を要求するようになる、図８の（ｂ）のように、ＯＳＤメニュー及びヘルプ情報が表示される各領域の大きさはそのまま保持されつつ、ＯＳＤメニュー部分は拡大されてよい。そのために、例えば、ユーザが拡大しようとするＯＳＤメニューをハイライト表示した状態で、仮に、遠隔制御装置１１０の拡大機能ボタンを選択したなら、映像表示装置１００は当該ＯＳＤメニューのデータスケーリングのとき、特定情報は排除させるスケーリングを行ってデータを出力することができる。それについては、多様な方法が使用されることができるため、本発明の実施形態ではそのような方法に特別に限定されない。
【００５６】
図９を図１とともに参照すると、映像表示装置１００は図９の（ａ）のように、ＯＳＤメニュー画面をヘルプ情報画面と一つの画面上で相互に分離して表示することができるが、そのとき、ユーザが仮に、遠隔制御装置１１０の拡大機能ボタンを一回押す場合、図８の（ｂ）のような画面に移動するとしたら、もう一度押す場合には、図９の（ｂ）のように、実際ＯＳＤメニューの大きさに復帰し、ＯＳＤメニューが全画面に現れられる。このような機能は、実質的に拡大機能ボタンを使用することもできるが、ボタンを通じて倍率を選択することで、いくらでもできる。
【００５７】
図１０は、本発明の実施形態に係る映像表示方法を示すフローチャートである。
【００５８】
説明の便宜上、図１０を図１及び図２とともに参照すると、本発明の実施形態に係る映像表示装置１００は、ユーザの要求に応じて、ＯＳＤメニュー情報を出力する（Ｓ１０００）。仮に、ユーザが遠隔制御装置１１０を介して映像表示装置１００の動作または機能を設定するためのＯＳＤメニューを要求するようになると、映像表示装置１００はそれに対する信号を判別してＯＳＤメニュー情報を出力するようになる。
【００５９】
その後、ユーザからＯＳＤメニュー操作のためのヘルプ要求がある場合、映像表示装置１００はＯＳＤメニュー及びヘルプ情報に対するデータをスケーリングし、提供する（Ｓ１０１０）。例えば、ステップＳ１０００で表示されたＯＳＤメニューで特定メニューを選択した後、遠隔制御装置１１０の専用ボタン、仮に、ヘルプボタンを押すと、選択された特定メニューに対するヘルプ情報が表示されてよい。スケーリング及びＯＳＤメニューとヘルプ情報表示等に関しては、十分詳細に説明しているため、これ以上の説明は省略する。
【００６０】
続いて、映像表示装置１００は、ＯＳＤメニューとヘルプ情報とに対するデータをディスプレイ、より正確には、表示パネル上で相互に重畳しないように表示する（Ｓ１０２０）。ここで、相互の重畳しないように表示されるとは、本発明の実施形態によって、２つのデータが相互に混合されて表示パネルに提供されるものではなく、物理的にＯＳＤメニューは表示パネルの第１領域に、ヘルプ情報は表示パネルの第２領域に提供されることが望ましい。それにより、ヘルプ情報がＳＯＤメニューの領域にドラッグされる動作は、制限されない。しかし、本発明の実施形態では、このようなことに特に限定されるものではなく、領域は区分されるが、オーバーラップされたりドラッグする動作が行われてよい。
【００６１】
以上において、本発明の実施形態を構成する全ての構成要素が一つに結合されたり、結合されて動作するものとして説明されているからといって、本発明が必ずしもこのような実施形態に限定されるものではない。すなわち、本発明の目的範囲内であれば、その全ての構成要素が一つ以上に選択的に結合して動作してよい。なお、その全ての構成要素がそれぞれ一つの独立したハードウェアで実現されてよいが、各構成要素の一部または全部が選択的に組み合わせられて、一つまたは複数個のハードウェアで組み合わせられた一部または全部の機能を実行するプログラムモジュールを有するコンピュータプログラムで実現されてよい。そのコンピュータプログラムを構成するコード及びコードセグメントは、本発明の技術分野の当業者によって容易に推論することができる。このようなコンピュータプログラムは、コンピュータが読み取ることができる保存媒体（Ｃｏｍｐｕｔｅｒ  Ｒｅａｄａｂｌｅ  Ｍｅｄｉａ）に保存されて、コンピュータによって読み取られて実行されることで、本発明の実施形態を実現することができる。コンピュータプログラムの保存媒体としては、磁気記録媒体、光記録媒体、キャリアウェーブ媒体等が含まれてよい。
【００６２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００６３】
１００  映像表示装置
２００  ＯＳＤ情報処理部
２１０  スケーリング部
２２０  ディスプレイ部
【図１】
2014021989.tif 000003
【図２】
2014021989.tif 000004
【図３】
2014021989.tif 000005
【図４】
2014021989.tif 000006
【図５】
2014021989.tif 000007
【図６】
2014021989.tif 000008
【図７】
2014021989.tif 000009
【図８】
2014021989.tif 000010
【図９】
2014021989.tif 000011
【図１０】
2014021989.tif 000012